(57)【要約】  空気調和機は、室内熱交換器と室内熱交換器に室内空気を送風する室内ファンとを有する室内機（２）と、圧縮機を有する室外機と、が冷媒を循環させる冷媒配管により接続された冷凍サイクルを有し、室内空気を吸い込んで室内熱交換器で熱交換した調和空気を室内へ送風する空気調和機である。空気調和機は、室内における子どもを検出する子ども検出部と、室内における子どもの活動状態を検出する活動検出部（２３）と、子ども検出部で子どもの存在が検出された場合に活動検出部（２３）で検出された室内における子どもの活動状態に基づいて空気調和機の空調運転の条件を調整する子ども優先モードで空気調和機の動作を制御可能な空調制御部（２１）と、を備える。
2019008642.tif 000002
【特許請求の範囲】
【請求項１】
室内熱交換器と前記室内熱交換器に室内空気を送風する室内ファンとを有する室内機と、圧縮機を有する室外機と、が冷媒を循環させる冷媒配管により接続された冷凍サイクルを有し、室内空気を吸い込んで前記室内熱交換器で熱交換した調和空気を前記室内へ送風する空気調和機であって、
前記室内における子どもを検出する子ども検出部と、
前記室内における子どもの活動状態を検出する活動検出部と、
前記子ども検出部で子どもの存在が検出された場合に前記活動検出部で検出された前記室内における子どもの活動状態に基づいて前記空気調和機の空調運転の条件を調整する子ども優先モードで前記空気調和機の動作を制御可能な空調制御部と、
を備えることを特徴とする空気調和機。
【請求項２】
前記空調運転の条件が前記調和空気の温度であり、
前記空調制御部は、前記子どもの活動状態と前記子どもの体温とに基づいて、前記圧縮機の回転数を調整して前記調和空気の温度を調整する制御を行うこと、
を特徴とする請求項１に記載の空気調和機。
【請求項３】
他の前記空調運転の条件が、前記調和空気の風量であり、
前記空調制御部は、前記子どもの活動状態と前記子どもの体温とに基づいて、前記室内ファンの回転数を調整して前記調和空気の風量を調整する制御を行うこと、
を特徴とする請求項２に記載の空気調和機。
【請求項４】
他の前記空調運転の条件が、前記調和空気の風向であり、
前記室内機が、前記室内に送風する前記調和空気の気流の風向を変更する風向板を有し、
前記空調制御部は、前記子どもの活動状態と前記子どもの体温とに基づいて、前記風向板の向きを調整して前記調和空気の風向を調整する制御を行うこと、
を特徴とする請求項２または３に記載の空気調和機。
【請求項５】
前記子ども検出部は、人感センサを用いて前記室内に居る人を検出し、前記人感センサの検出結果から得られる前記室内に居る人の身長の情報と、前記室内における子どもの存否を判定するための判定基準条件である基準身長情報と、に基づいて前記室内における子どもを検出すること、
を特徴とする請求項１から４のいずれか１つに記載の空気調和機。
【請求項６】
前記子ども検出部は、前記室内において検出された人のうち身長が前記基準身長情報で指定された身長の範囲内である人を子どもと判定すること、
を特徴とする請求項５に記載の空気調和機。
【請求項７】
前記子ども優先モードを選択する子ども優先モード選択情報を前記空調制御部が前記空調制御部の外部から受信し、前記子ども検出部が前記基準身長情報を外部から受信して子どもの存在を検出した場合に、前記空調制御部が前記子ども優先モードで前記空気調和機の空調運転の条件を調整すること、
を特徴とする請求項５または６に記載の空気調和機。
【請求項８】
前記基準身長情報を前記子ども検出部が記憶しており、
前記空調制御部は、前記子ども優先モード以外の運転モードで前記空気調和機の制御を実施中に、前記子ども検出部が前記室内における子どもの入室を検出した場合に自動で前記子ども優先モードに遷移すること、
を特徴とする請求項５または６に記載の空気調和機。
【発明の詳細な説明】
【技術分野】
【０００１】
本発明は、室内に調和空気を送風して室内の空調を行う空気調和機に関する。
【背景技術】
【０００２】
従来、空気調和機では、センサで検出した人の周辺に送風することで、人にとって快適な空間を作る制御が行われている。特許文献１では、人と判定された測定対象物の形状認識を行い、子供か大人かを判断し、子供と判断した場合には、直接当てずに離れた所に風を向けるように風向および風量を制御する空気調和機が開示されている。
【先行技術文献】
【特許文献】
【０００３】
【特許文献１】特開２００９−１３９０１０号公報
【発明の概要】
【発明が解決しようとする課題】
【０００４】
しかしながら、大人と子どもでは同じ温度の風でも体感温度が異なるため、大人が快適な温度の空調温度が子どもにとっては寒すぎる場合があった。このため、上記特許文献１の技術によれば、風が子どもに直接当たらなくても周囲の温度が低下することによって結果的に子どもの体が冷えすぎた状態となる場合があった。【０００５】
本発明は、上記に鑑みてなされたものであって、子どもの体調に配慮した空調運転が可能な空気調和機を得ることを目的とする。
【課題を解決するための手段】
【０００６】
上述した課題を解決し、目的を達成するために、本発明にかかる空気調和機は、室内熱交換器と室内熱交換器に室内空気を送風する室内ファンとを有する室内機と、圧縮機を有する室外機と、が冷媒を循環させる冷媒配管により接続された冷凍サイクルを有し、室内空気を吸い込んで室内熱交換器で熱交換した調和空気を室内へ送風する空気調和機である。空気調和機は、室内における子どもを検出する子ども検出部と、室内における子どもの活動状態を検出する活動検出部と、子ども検出部で子どもの存在が検出された場合に活動検出部で検出された室内における子どもの活動状態に基づいて空気調和機の空調運転の条件を調整する子ども優先モードで空気調和機の動作を制御可能な空調制御部と、を備える。
【発明の効果】
【０００７】
本発明にかかる空気調和機は、子どもの体調に配慮した空調運転が可能である、という効果を奏する。
【図面の簡単な説明】
【０００８】
【図１】本発明の実施の形態１にかかる空気調和機の構成を示す模式図
【図２】本発明の実施の形態１にかかる空気調和機における冷凍サイクルの主な構成を示す模式図
【図３】本発明の実施の形態１にかかる空気調和機の運転制御に関する要部機能ブロック図
【図４】本発明の実施の形態１にかかる空気調和機における室内機の外観を示す正面図であり、室内機から室内に吹き出す調和空気の気流の風向を下方向にした状態の室内機の外観を示す正面図
【図５】本発明の実施の形態１にかかる空気調和機における室内機の外観を示す正面図であり、室内機から室内に吹き出す調和空気の気流の風向を変更した状態の室内機の外観を示す正面図
【図６】本発明の実施の形態１にかかる処理回路のハードウェア構成の一例を示す図
【図７】本発明の実施の形態１にかかる空気調和機が子ども優先モードでの制御を実施する場合の手順を説明するフローチャート
【図８】本発明の実施の形態２における空気調和機が子ども優先モードでの制御を実施する場合の手順を説明するフローチャート
【図９】本発明の実施の形態３における空気調和機の自動子ども優先モードでの制御の手順を説明するフローチャート
【発明を実施するための形態】
【０００９】
以下に、本発明の実施の形態にかかる空気調和機を図面に基づいて詳細に説明する。なお、この実施の形態によりこの発明が限定されるものではない。
【００１０】
実施の形態１．
図１は、本発明の実施の形態１にかかる空気調和機１の構成を示す模式図である。図２は、本発明の実施の形態１にかかる空気調和機１における冷凍サイクルの主な構成を示す模式図である。図３は、本発明の実施の形態１にかかる空気調和機１の運転制御に関する要部機能ブロック図である。図４は、本発明の実施の形態１にかかる空気調和機１における室内機２の外観を示す正面図であり、室内機２から室内に吹き出す調和空気の気流の風向を下方向にした状態の室内機２の外観を示す正面図である。図５は、本発明の実施の形態１にかかる空気調和機１における室内機２の外観を示す正面図であり、室内機２から室内に吹き出す調和空気の気流の風向を下方向および正面方向にした状態の室内機２の外観を示す正面図である。本実施の形態１にかかる空気調和機１は、室内熱交換器と室内熱交換器に室内空気を送風する室内ファンとを有する室内機と、圧縮機を有する室外機と、が冷媒を循環させる冷媒配管により接続された冷凍サイクルを有し、室内空気を吸い込んで室内熱交換器で熱交換した調和空気を室内へ送風する空気調和機である。まず、空気調和機１の構成について説明する。
【００１１】
本実施の形態１にかかる空気調和機１は、室内に配置された室内機２、屋外に配置された室外機３および空気調和機１の動作を遠隔操作するリモートコントローラー４を備える。以下、リモートコントローラーを、リモコンと呼ぶ場合がある。
【００１２】
室内機２には、主要な構成として、冷媒配管５である冷媒配管５１および冷媒配管５２に接続される室内側の熱交換器である室内熱交換器６１と、室内熱交換器６１を通過する気流を形成する室内ファン６２と、が設置されている。室内ファン６２は、室内プロペラ６３が室内ファンモータ６４によって駆動されることで動作する。
【００１３】
室外機３には、主要な構成として、冷媒の流れる方向を切り替える四方弁７１と、冷媒を液化させる圧縮機７２と、冷媒配管５１および冷媒配管５２に接続される室外側の熱交換器である室外熱交換器７３と、室外熱交換器７３を通過する気流を形成する室外ファン７４とが設置されている。室外ファン７４は、室外プロペラ７５が室外ファンモータ７６によって駆動されることで動作する。
【００１４】
空気調和機１においては、室内機２と冷媒配管５２と室外機３と冷媒配管５１とによって、冷媒循環回路が構成されている。そして、空気調和機１においては、圧縮機７２、四方弁７１、室外熱交換器７３および室内熱交換器６１を順次冷媒配管５１および冷媒配管５２で環状に接続して冷凍サイクルが構成されている。冷媒配管５１および冷媒配管５２は、室内熱交換器６１と室外熱交換器７３とを接続して冷媒を循環させる配管である。冷媒循環回路に組み込まれた圧縮機７２は、吐出冷媒を室外熱交換器７３から室内熱交換器６１へ返流させる。すなわち、空気調和機１は、冷媒配管５１および冷媒配管５２を通って室内機２と室外機３との間を循環する冷媒を使用して、空調対象空間である室内空気と室外の空気との間で熱移動を行い、室内に対する空気調和を実現している。
【００１５】
また、室内機２は、図３に示すように、空気調和機１の動作を制御する制御部である空調制御部２１と、室内における人を検出する人体検出部２２と、室内における人の活動状態を検出する活動検出部２３と、室内の温度である室内温度を検出する室内温度検出部２４と、リモコン４との間で情報の通信を行う室内機通信部２５と、を備える。室内機２内における各構成部は、互いに通信可能である。
【００１６】
空調制御部２１は、室内温度検出部２４が検出した室内温度、リモコン４から受信した指示情報、および予め空調制御部２１に記憶している情報といった各種情報に基づいて空気調和機１の動作を制御する。空調制御部２１は、ユーザの設定した設定温度に従って通常の冷房運転を行う制御モードである通常モードでの運転の他に、子どもに調和空気の気流が当たり過ぎること、または調和空気の温度が子どもにとって適切でないことによって、子どもが体調を崩してしまうことを防止するための空調運転の制御モードである子ども優先モードでの運転の制御を行う。
【００１７】
子ども優先モードは、後述するように、室内における子どもの活動状態に基づいて、空気調和機１の空調運転の条件を子どもに適した条件に調整して運転する運転モードである。子ども優先モードでは、空調運転の条件の調整として、室内機２から子どもに向けて送風する調和空気の温度の調整が行われる。さらに、子ども優先モードでは、室内機２から子どもに向けての調和空気の送風の風向の調整および室内機２から子どもに向けて送風する調和空気の風量の調整のうち、少なくとも１つが行われる。ここでの子どもは、幼い者の意味であり乳幼児を含む。また、調和空気には、空気調和機１において空気調和された空気の他に、外気をそのまま室内に送風する場合の外気も含まれる。送風の風向の調整には、子どもに向けて室内機２から調和空気を送風するか、または子どもに向けた調和空気の送風を避けるかを含む。
【００１８】
空調制御部２１は、リモコン４において子ども優先モードが選択されて、リモコン４から子ども優先モードの選択情報を受信した場合に、子ども優先モードで空調運転を制御する。また、空調制御部２１は、リモコン４において子ども優先モードの解除が選択されて、リモコン４から子ども優先モードの解除情報を受信した場合に、子ども優先モードでの空調運転の制御を解除する。
【００１９】
室内機２には、吸い込み口６６および吹き出し口６７が備えられている。室内機２は、室内ファン６２が回転することにより吸い込み口６６から室内空気を吸い込む。吸い込み口６６から吸い込まれた空気は、室内熱交換器６１を通過することにより調和空気である冷気または暖気となり、吹き出し口６７から室内へ送風される。調和空気の気流の風量は、空調制御部２１が室内ファン６２の回転を制御することで調整される。調和空気の温度は、主に空調制御部２１が圧縮機７２を駆動するための運転周波数を制御することで調整される。
【００２０】
人体検出部２２は、室内に居る人を検出する人感センサとして図４に示すように室内機２の前面に配置されて赤外線を受光する赤外線センサ２２ａを備え、赤外線センサ２２ａの検出結果に基づいて、室内に人が居るか否かを判定する。人体検出部２２は、赤外線センサ２２ａが検出した室内の赤外線検出結果に基づいて室内の温度分布の情報を生成する。そして、人体検出部２２は、生成した室内の温度分布の情報に基づいて、室内に人が居るか否かを判定する。
【００２１】
赤外線センサ２２ａは、室内における既定の複数の検出箇所からの赤外線を検出する。すなわち、赤外線センサ２２ａは、室内の床および壁の領域を多数の領域に細分化した多数の分割領域からの赤外線を検出する。人体検出部２２は、空調制御部２１から設定された既定の周期、または予め人体検出部２２に設定済みの既定の周期で人の在否を繰り返し検出する。
【００２２】
なお、人の在否を検出する方法については、特に制約はなく、上記の方法に限定されない。室内に居る人を検出する人感センサは、画像認識によって検出する方式のセンサであってもよい。
【００２３】
また、人体検出部２２は、基準身長情報を受信または記憶している場合には、室内に子どもが居るか否かを判定する。すなわち、人体検出部２２は、室内に人が居ると判定し、且つ基準身長情報を受信または記憶している場合には、室内に居ると判定された人が子どもであるか否かを判定する。したがって、人体検出部２２は、室内に居る子どもを検出する子ども検出部の機能を備えている。
【００２４】
人体検出部２２は、室内に人が居ると判定した場合に、室内における子どもの存否を判定するための判定基準条件である基準身長情報と、室内において検出した人の身長の情報である検出身長情報と、に基づいて、室内における子どもの存否を判定する。ここでの基準身長情報は、１つの固定値である。基準身長情報は、後述するリモコン４のリモートコントローラー操作部４３で受け付けられて人体検出部２２に送信される。人体検出部２２は、室内の温度分布の情報に基づいて演算によって検出身長情報を算出可能である。
【００２５】
活動検出部２３は、人体検出部２２で室内に子どもの存在が検出された場合に、人体検出部２２で生成された室内の温度分布の情報に基づいて、室内に居る子どもの活動状態を検出する。子どもの活動状態は、子どもが立って動き回っている状態、子どもが座っている状態、および子どもが寝ている状態の３つの状態に分類される。活動検出部２３は、たとえば上述した室内の温度分布において子どもに対応する高温部分の移動量、形状および大きさといった条件に基づいて室内に居る子どもの活動状態を検出する。なお、子どもの活動状態を検出する方法については、特に制約はなく、上記の方法に限定されない。
【００２６】
室内温度検出部２４は、室内温度を検出する室内温度センサを備え、空調制御部２１での室内の空調制御を行うために室内温度を検出する。室内温度検出部２４は、空調制御部２１から設定された既定の周期、または予め室内温度検出部２４に設定済みの既定の周期で室内温度を繰り返し検出する。室内温度検出部２４は、検出した室内温度を空調制御部２１に送信する。
【００２７】
室内機通信部２５は、室内温度およびその他の空調制御に関する各種情報、リモコン４で設定された情報といった空気調和機１の運転制御に関する各種情報の通信を、リモコン４との間で行い、また内外通信線６を介して室外機３と行う。すなわち、室内機通信部２５は、空気調和機１の運転を遠隔制御するための指示情報をリモコン４から受信する。室内機通信部２５は、空気調和機１の運転を制御するための各種情報を室外機３から受信する。また、室内機通信部２５は、空気調和機１の運転に関する各種情報をリモコン４に送信する。室内機通信部２５は、リモコン４との間で、有線通信または無線通信により互いに情報の双方向通信が可能である。
【００２８】
また、室内機２は、図４および図５に示すように室内機２から室内に吹き出す調和空気の気流の風向を変更する風向板６５を前面に備えている。室内機２の前面には、室内機２から室内に吹き出す調和空気の気流の風向を変更する風向板６５として、室内機２から室内に吹き出す気流の鉛直方向における風向きを変更するルーバーを有する第１風向板６５ａおよび第２風向板６５ｂと、室内機２から室内に吹き出す気流の水平方向における風向きを変更するルーバーを有する第３風向板６５ｃと、が設けられている。第３風向板６５ｃは、第１風向板６５ａおよび第２風向板６５ｂよりも内部側に設けられている。
【００２９】
第１風向板６５ａおよび第２風向板６５ｂは、両端部に設けられた図示しない回動軸を支点にして、図示しない風向板駆動モータによって回動される。第３風向板６５ｃは、下部に設けられた図示しない回動軸を支点にして、図示しない風向板駆動モータによって回動される。風向板駆動モータは、空調制御部２１の制御に従って風向板６５を駆動する。
【００３０】
例えば、室内機２から室内に吹き出す調和空気の気流を上方向に変更する場合、空調制御部２１は、第１風向板６５ａおよび第２風向板６５ｂの向きを変更させて、風向を下方向から上方向に変更させる制御を行えばよい。図５においては、第１風向板６５ａについては室内機２から室内に吹き出す調和空気の気流の風向を下方向にした様子を示しており、第２風向板６５ｂについては室内機２から室内に吹き出す調和空気の気流の風向を正面方向にした様子を示している。また、第１風向板６５ａの内部側の第３風向板６５ｃと第２風向板６５ｂの内部側の第３風向板６５ｃとは独立して左右に風向を変更できるものであり、例えば複数のフィンで構成されている。
【００３１】
また、空調制御部２１は、例えば、図６に示したハードウェア構成の処理回路として実現される。図６は、本発明の実施の形態１にかかる処理回路のハードウェア構成の一例を示す図である。空調制御部２１が図６に示す処理回路により実現される場合、空調制御部２１は、例えば、図６に示すメモリ１０２に記憶されたプログラムをプロセッサ１０１が実行することにより、実現される。また、複数のプロセッサおよび複数のメモリが連携して上記機能を実現してもよい。また、空調制御部２１の機能のうちの一部を電子回路として実装し、他の部分をプロセッサ１０１およびメモリ１０２を用いて実現するようにしてもよい。
【００３２】
また、人体検出部２２の機能のうちの一部、活動検出部２３の機能、室内温度検出部２４の機能のうちの一部、および室内機通信部２５の機能のうちの１つ以上の機能を、同様にメモリ１０２に記憶されたプログラムをプロセッサ１０１が実行することにより、実現されるように構成してもよい。また、人体検出部２２の機能のうちの一部、活動検出部２３の機能、室内温度検出部２４の機能のうちの一部、および室内機通信部２５の機能のうちの１つ以上の機能を実現するためのプロセッサおよびメモリは、空調制御部２１を実現するプロセッサおよびメモリと同一であってもよいし、別のプロセッサおよびメモリであってもよい。
【００３３】
リモコン４は、現在の時刻、空気調和機１による空調における室内温度の目標となる設定温度、運転モードといった、空気調和機１による空調において必要となる情報を設定するための操作装置である。リモコン４は、室内機２との間で有線通信または無線通信によって互いに情報の双方向通信が可能である。
【００３４】
リモコン４は、主たる構成として、リモコン４の動作を制御するリモートコントローラー制御部４１と、空気調和機１おける空調管理に関する各種情報を表示してユーザに視覚的に通知するリモートコントローラー表示部４２と、ユーザの要求する設定操作を受け付ける指示受け付け部であるリモートコントローラー操作部４３と、室内機２との間で情報の送受信を行うリモートコントローラー通信部４４と、を有する。リモコン４内における各構成部は、互いに通信可能である。以下、「リモートコントローラー制御部４１」を「リモコン制御部４１」と、「リモートコントローラー表示部４２」を「リモコン表示部４２」と、「リモートコントローラー操作部４３」を「リモコン操作部４３」と、「リモートコントローラー通信部４４」を「リモコン通信部４４」と呼ぶ場合がある。
【００３５】
リモコン制御部４１は、リモコン操作部４３から受信した指示情報に基づいてリモコン４の動作を制御する。リモコン制御部４１は、リモコン操作部４３から受信した情報および空気調和機１の運転に必要な指示情報を、リモコン通信部４４を介して室内機２の室内機通信部２５に送信する。また、リモコン制御部４１は、各種情報をリモコン表示部４２に表示させる制御を行う。
【００３６】
リモコン表示部４２は、空気調和機１における空調管理に関する各種情報である、リモコン操作部４３が受け付けた各種情報、および室内機２から送信された各種情報を表示して使用者に通知する。
【００３７】
リモコン操作部４３は、空気調和機１の運転を遠隔制御するためのインタフェースであり、使用者から空気調和機１の運転についての指示を受け付ける。リモコン操作部４３では、空気調和機１の運転開始、空気調和機１の運転停止、空気調和機１の運転モードの選択、設定温度の変更、設定湿度の変更、風量の設定、風向の設定、操作禁止事項の設定変更といった、空気調和機１における空調運転に係わる様々な機能を使用者が任意に選択できるように構成されている。リモコン操作部４３では、運転モードとして、子ども優先モードを選択することができる。また、リモコン操作部４３は、基準身長情報、日付および時刻といった情報も設定することができる。リモコン操作部４３は、受け付けた各種情報をリモコン制御部４１に送信する。なお、リモコン４の機能を室内機２に設けることも可能である。
【００３８】
リモコン通信部４４は、空気調和機１の運転を遠隔制御するための指示情報をリモコン制御部４１から受信する。リモコン通信部４４は、リモコン制御部４１から受信した指示情報を室内機２の室内機通信部２５に送信する。また、リモコン通信部４４は、室内機２の室内機通信部２５から各種情報を受信する。リモコン通信部４４は、受信した情報をリモコン制御部４１に送信する。
【００３９】
また、リモコン制御部４１は、例えば、図６に示したハードウェア構成の処理回路として実現される。リモコン制御部４１が図６に示す処理回路により実現される場合、リモコン制御部４１は、例えば、図６に示すメモリ１０２に記憶されたプログラムをプロセッサ１０１が実行することにより、実現される。また、複数のプロセッサおよび複数のメモリが連携して上記機能を実現してもよい。また、リモコン制御部４１の機能のうちの一部を電子回路として実装し、他の部分をプロセッサ１０１およびメモリ１０２を用いて実現するようにしてもよい。また、リモコン通信部４４を、同様にメモリ１０２に記憶されたプログラムをプロセッサ１０１が実行することにより、実現されるように構成してもよい。また、リモコン通信部４４を実現するためのプロセッサおよびメモリは、リモコン制御部４１を実現するプロセッサおよびメモリと同一であってもよいし、別のプロセッサおよびメモリであってもよい。
【００４０】
つぎに、本実施の形態１における空気調和機１の子ども優先モードでの制御の手順について説明する。図７は、本発明の実施の形態１にかかる空気調和機１が子ども優先モードでの制御を実施する場合の手順を説明するフローチャートである。
【００４１】
空気調和機１が通常モードで運転中に、ユーザがリモコン４のリモコン操作部４３において子ども優先モードを選択し、基準身長情報を入力する。リモコン操作部４３は、子ども優先モードが選択され、基準身長情報が入力されると、子ども優先モードが選択された旨の子ども優先モード選択情報および基準身長情報をリモコン制御部４１に送信する。リモコン制御部４１は、子ども優先モード選択情報および基準身長情報を受信すると、子ども優先モードおよび基準身長情報を、リモコン通信部４４および室内機２の室内機通信部２５を介して空調制御部２１に送信する。
【００４２】
空調制御部２１は、ステップＳ１０において、子ども優先モード選択情報および基準身長情報を受信すると、子ども優先モード選択情報および基準身長情報を人体検出部２２に、子ども優先モード選択情報を活動検出部２３に送信し、子ども優先モードでの冷房運転の制御を開始する。ここでは、人体検出部２２は、子ども優先モード選択情報を受信した場合には、子ども優先モードの解除情報を受診するまで、室内における子どもの検出を行う。また、活動検出部２３は、子ども優先モード選択情報を受信した場合には、子ども優先モードの解除情報を受診するまで稼働する。
【００４３】
つぎに、ステップＳ２０において人体検出部２２が、室内に人が居るか否かを判定する。人体検出部２２は、赤外線センサ２２ａが検出した赤外線検出結果に基づいて室内の温度分布の情報を生成する。人体検出部２２は、生成した室内の温度分布において他の領域よりも高温になっている高温部分の形状を、複数の基準サンプルと比較することによって、室内に人が居るか否かを判定する。また、基準サンプルは、室内に人が居ると判定するための基準となる高温部分の形状である。基準サンプルは、予め人体検出部２２に記憶されている。基準サンプルは、基準となる特定の形状に任意の変形幅を有していてもよい。
【００４４】
ここで、室内の温度分布の情報において他の領域よりも高温になっている高温部分は、室内に人が居ると判定するための判定対象となる部分である。この高温部分は、室内の温度分布において他の領域よりも既定の温度幅以上、高温になっている部分、または既定の温度以上の温度になっている部分である。既定の温度幅および既定の温度は、予め人体検出部２２に記憶されている。また、既定の温度幅および既定の温度は、リモコン４において適宜変更可能である。
【００４５】
人体検出部２２は、上記の室内の温度分布における高温部分の形状が基準サンプルの条件を満たす場合に、室内に人が居る、すなわち人を検出したと判定する。また、人体検出部２２は、室内の温度分布における高温部分の形状が基準サンプルの条件を満たさない場合に、室内に人が居ないと判定する。なお、室内に人が居るか否かを判定する方法については、特に制約はなく、上記の方法に限定されない。
【００４６】
室内に人が居ないと判定された場合は、すなわちステップＳ２０においてＮｏの場合は、人体検出部２２は、ステップＳ２０の処理を繰り返す。
【００４７】
室内に人が居ると判定された場合は、すなわちステップＳ２０においてＹｅｓの場合は、人体検出部２２はステップＳ３０において、室内に子どもが居るか否かを判定する。人体検出部２２は、室内における子どもの存否を判定するための判定基準条件である基準身長情報と、室内で検出した人の身長の情報である検出身長情報とを比較することによって、室内における子どもの存否を判定する。すなわち、人体検出部２２は、検出身長情報が、基準身長情報以下であるか否かを判定する。
【００４８】
人体検出部２２は、室内で検出された人の検出身長情報で示される身長が基準身長情報で指定される身長以下である場合に、室内で検出した人を子どもと判定する。一方、人体検出部２２は、室内で検出した人の検出身長情報で示される身長が基準身長情報で指定される身長より大である場合に、室内で検出した人を子どもではないと判定する。一例として、基準身長情報で指定された身長が１００ｃｍである場合には、人体検出部２２は、室内で検出した人の検出身長が１００ｃｍ以下である人を、子どもであると判定する。
【００４９】
室内に子どもが居ないと判定された場合は、すなわちステップＳ３０においてＮｏの場合は、人体検出部２２は、ステップＳ２０に戻る。
【００５０】
一方、室内に子どもが居ると判定された場合、すなわちステップＳ３０においてＹｅｓの場合は、人体検出部２２は、室内に子どもが居る旨の情報であって検出した子どもの位置情報を含む子ども在室情報と室内の温度分布の情報とを活動検出部２３に周期的に送信する。
【００５１】
活動検出部２３は、子ども在室情報と室内の温度分布の情報とを受信すると、子ども在室情報と室内の温度分布の情報とに基づいて、室内に居る子どもの活動状態の判定を行う。
【００５２】
活動検出部２３は、ステップＳ４０において、室内に居る子どもが立って動き回っている状態であるか否かを判定する。室内に居る子どもが立って動き回っているか否かは、室内の温度分布における高温部分が、既定の基準時間内に、既定の基準移動距離以上の距離を移動しているか否かにより判定される。既定の基準時間は、室内に居る子どもが立って動き回っているか否かを活動検出部２３が判定するための基準となる時間であり、予め活動検出部２３に記憶されている。既定の基準移動距離は、室内に居る子どもが立って動き回っているか否かを判定するための基準となる移動距離であり、予め活動検出部２３に記憶されている。なお、既定の基準時間および既定の基準移動距離の情報は、室内機２が備える他の記憶部に記憶されていてもよい。
【００５３】
活動検出部２３は、基準時間内における、室内の温度分布における高温部分の移動距離が基準移動距離以上である場合に、室内に居る子どもが立って動き回っている状態である、と判定する。また、活動検出部２３は、基準時間内における、室内の温度分布における高温部分の移動距離が基準移動距離未満である場合に、室内に居る子どもが立って動き回っている状態ではない、と判定する。なお、室内に居る子どもが立って動き回っている状態であるか否かを検出する方法については、特に制約はなく、上記の方法に限定されない。
【００５４】
室内に居る子どもが立って動き回っている状態であると判定された場合、すなわちステップＳ４０においてＹｅｓの場合は、活動検出部２３は室内に居る子どもが立って動き回っている状態である旨の第１活動状態情報を空調制御部２１に送信する。
【００５５】
空調制御部２１は、第１活動状態情報を受信するとステップＳ９０において、第１活動状態情報に対応した冷房運転の条件の調整を行う第１運転制御を実施する。第１運転制御では、空調制御部２１は、室内の全体に調和空気の送風を行い、且つ室内で立って動き回っている子どもの体温を検出して、室内で立って動き回っている子どもの体温に適した温度に冷房運転の設定温度を調整する。すなわち、空調制御部２１は、子どもの活動状態と子どもの体温とに基づいて、圧縮機７２の回転数を調整して、室内機２から室内に吹き出される調和空気の温度を調整する制御を行う。これにより、動き回っている子どもの周りの温度環境が子どもに対して快適な状態に制御することができる。
【００５６】
空調制御部２１は、人体検出部２２から室内の温度分布の情報を取得することで、子どもの体温を検出する。室内で立って動き回っている子どもの体温に適した調和空気の温度の情報は、予め空調制御部２１に記憶されている。また、室内で立って動き回っている子どもの体温に適した調和空気の温度の情報は、室内機２内の他の記憶部に記憶されていてもよい。ステップＳ９０の終了後は、後述するステップＳ７０が行われる。
【００５７】
室内に居る子どもが立って動き回っている状態ではないと判定された場合、すなわちステップＳ４０においてＮｏの場合は、ステップＳ５０において活動検出部２３は、室内に居る子どもが座っている状態か否かを判定する。活動検出部２３は、室内の温度分布において子どもに対応する高温部分の形状および大きさを、複数の基準サンプルと比較することにより、室内に居る子どもが座っている状態か否かを判定する。これにより、大人が座っている状態を、室内に居る子どもが座っている状態であると判定することを排除可能である。基準サンプルは、予め人体検出部２２に記憶されている。基準サンプルの形状および大きさは、基準となる特定の形状に任意の変形幅を有していてもよい。
【００５８】
人体検出部２２は、室内の温度分布における子どもに対応する高温部分の形状および大きさが基準サンプルの形状および大きさの条件を満たす場合に、室内に居る子どもが座っている状態であると判定する。また、人体検出部２２は、室内の温度分布における子どもに対応する高温部分の形状および大きさが基準サンプルの形状および大きさの条件を満たさない場合に、室内に居る子どもは座っている状態ではないと判定する。なお、室内に居る子どもが座っている状態であるか否かを検出する方法については、特に制約はなく、上記の方法に限定されない。
【００５９】
室内に居る子どもが座っている状態であると判定された場合、すなわちステップＳ５０においてＹｅｓの場合は、活動検出部２３は、室内に居る子どもが座っている状態である旨の第２活動状態情報を空調制御部２１に送信する。
【００６０】
空調制御部２１は、第２活動状態情報を受信するとステップＳ１００において、第２活動状態情報に対応した冷房運転の条件の調整を行う第２運転制御を実施する。第２運転制御では、空調制御部２１は、子どもの体温を検出して、座っている子どもの体温に適した温度に冷房運転の設定温度を調整する。すなわち、空調制御部２１は、子どもの活動状態と子どもの体温とに基づいて、圧縮機７２の回転数を調整して、室内機２から室内に吹き出される調和空気の温度を調整する制御を行う。
【００６１】
また、第２運転制御では、空調制御部２１は、座っている子どもに向けて室内機２から調和空気を送風するか、または座っている子どもに向けた調和空気の送風を避けるかを、子どもの体温に基づいて判定し、座っている子どもに向けた調和空気の送風の有無を制御する。空調制御部２１は、調和空気の送風を行う場合、子どもの活動状態と子どもの体温とに基づいて、風向板５４の向きを調整して、室内機２から室内に吹き出される調和空気の風向を調整する制御を行う。
【００６２】
また、座っている子どもに向けた調和空気の送風を行う場合には、空調制御部２１は、子どもに向けて送風する調和空気の風量を子どもの体温に基づいて判定し、調整する制御を行う。すなわち、空調制御部２１は、子どもの活動状態と子どもの体温とに基づいて、室内ファン６２の回転数を調整して、室内機２から室内に吹き出される調和空気の風量を調整する制御を行う。
【００６３】
これにより、室内の子どもに調和空気の気流が当たり過ぎること、または調和空気の温度が子どもにとって低すぎることによって、子どもが体調を崩してしまうことを防止できる。なお、子どもに向けた調和空気の送風の有無、および子どもに向けた調和空気の送風の風量のうち、少なくとも１つを子どもの体温に適した条件に調整する制御を行うことも可能である。
【００６４】
座っている子どもの体温に適した調和空気の温度、座っている子どもに向けた調和空気の送風の有無、および子どもに向けて送風する調和空気の風量は、予め空調制御部２１に記憶されている判定基準に基づいて決定される。このような判定基準を記憶したテーブルを空調制御部２１が備えることで、子どもの体温に提起した空調条件をきめ細かく制御することができる。なお、テーブルは、室内機２内の他の記憶部に記憶されていてもよい。ステップＳ１００の終了後は、後述するステップＳ７０が行われる。
【００６５】
室内に居る子どもが座っている状態ではないと判定された場合、すなわちステップＳ５０においてＮｏの場合は、活動検出部２３は、ステップＳ６０において、室内に居る子どもが寝ている状態か否かを判定する。活動検出部２３は、温度分布において子どもに対応する高温部分の形状および大きさを、複数の基準サンプルと比較することにより、室内に居る子どもが寝ている状態か否かを判定する。基準サンプルは、予め人体検出部２２に記憶されている。基準サンプルの形状および大きさは、基準となる特定の形状に任意の変形幅を有していてもよい。
【００６６】
人体検出部２２は、室内の温度分布における子どもに対応する高温部分の形状および大きさが基準サンプルの形状および大きさの条件を満たす場合に、室内に居る子どもが寝ている状態であると判定する。また、人体検出部２２は、室内の温度分布における子どもに対応する高温部分の形状および大きさが基準サンプルの形状および大きさの条件を満たさない場合に、室内に居る子どもは寝ている状態ではないと判定する。なお、室内に居る子どもが寝ている状態であるか否かを検出する方法については、特に制約はなく、上記の方法に限定されない。
【００６７】
室内に居る子どもが寝ている状態であると判定された場合、すなわちステップＳ６０においてＹｅｓの場合は、活動検出部２３は、室内に居る子どもが寝ている状態である旨の第３活動状態情報を空調制御部２１に送信する。
【００６８】
空調制御部２１は、第３活動状態情報を受信するとステップＳ１１０において、第３活動状態情報に対応した冷房運転の条件の調整を行う第３運転制御を実施する。第３運転制御は、第２運転制御と同じ制御である。ステップＳ１１０の終了後は、後述するステップＳ７０が行われる。
【００６９】
室内に居る子どもが寝ている状態ではないと判定された場合、すなわちステップＳ６０においてＮｏの場合は、空調制御部２１は、ステップＳ７０において、子ども優先モードの解除情報をリモコン４から受信したか否かを判定する。
【００７０】
子ども優先モードの解除情報を受信した場合、すなわちステップＳ７０において、Ｙｅｓの場合は、空調制御部２１は、ステップＳ８０において子ども優先モードの解除情報を人体検出部２２と活動検出部２３とに送信し、子ども優先モードでの冷房運転の制御を解除する。空調制御部２１は、子ども優先モードで冷房運転の制御を解除した場合には、子ども優先モードへの移行前の運転モード、子ども優先モードの解除時における既定の運転モード、またはリモコン４において新たに選択された運転モードで冷房運転を制御する。また、人体検出部２２は、子ども優先モードの解除情報を受信すると、基準身長情報を破棄する。
【００７１】
子ども優先モードの解除情報を受信していない場合、すなわちステップＳ７０において、Ｎｏの場合は、ステップＳ４０に戻る。子どもの活動状態は、頻繁に変化するため、定期的に子どもの活動状態を再確認して冷房運転の制御を変更することで、よりきめ細やかに室内の子どもの活動状態に合わせた冷房運転の制御が可能であり、冷房によって子どもが体調を崩すことを回避できる。
【００７２】
なお、子ども優先モードでの冷房運転の制御が解除されない限り、人体検出部２２が新たな子どもの存在を検出した場合には、新たに検出された子どもに対しても、ステップＳ４０以降の子ども優先モードでの冷房運転の制御が実施される。
【００７３】
また、上記においては空調制御部２１と活動検出部２３とが室内機２に設けられている場合について示したが、空調制御部２１と活動検出部２３とは室外機３に設けられてよい。
【００７４】
以上のように、空気調和機１は、子どもの活動状態の情報に基づいて、子どもの活動状態に適した条件で冷房運転を制御する。すなわち、空気調和機１は、室内における子どもの在否についての情報と、室内の子どもの活動状態の情報と、室内の子どもの体温の情報とに基づいて、冷房運転の調和空気の温度を子どもの体温に適した条件に調整する制御を行う。さらに、空気調和機１は、子どもに向けた調和空気の送風の有無、および子どもに向けた調和空気の送風の風量のうち、少なくとも１つを子どもの体温に適した条件に調整する制御を行うことができる。
【００７５】
子どもの体温および体温の変動は、活動状態によって異なる。すなわち、立って動き回っている子どもと、座っている子どもと、寝ている子どもでは、体温および体温の変動が異なる。子どもによっても異なるが、立って動き回っている子どもの体温が一番高く、寝ている子どもの体温がいちばん低くなる傾向にある。したがって、子どもの活動状態によって、子どもの活動状態の情報に基づいて個別に冷房運転を制御することで、子どもの活動状態に適した条件で、子どもにとって快適な空間を作ることができる。
【００７６】
そして、空気調和機１は、室内に居る子どもの体温に基づいて冷房運転の設定条件を調整することができるため、大人とは体感温度が異なる子どもにとって快適な空調制御を行うことができる。したがって、空気調和機１は、調和空気の気流が子どもに当たり過ぎること、または調和空気の気流が直接子どもに当たらなくても調和空気の温度が子どもにとって低すぎることによって周囲の温度が低下し、子どもが体調を崩してしまうことを防止できる。
【００７７】
そして、空気調和機１は、子どもが多く集まる施設である、幼稚園、保育園および病院といった場所において、待ち時間が長い状況、または外で遊べずに長い時間室内に居なければならない状況といった、空気調和された室内に長くいる状況でも、子ども優先モードで運転することで、冷房に起因して子どもが体調を崩してしまうことを防止できる。
【００７８】
なお、上記においては、空気調和機１が冷房運転を実施する場合について説明したが、空気調和機１が暖房運転または送風運転を行う場合においても、上述した冷房運転の場合と同様に子ども優先モードでの運転が可能である。この場合も、冷房運転の場合と同様に、室内機２からの気流に当たりすぎることに起因して、または室内機２からの気流の温度に起因して子どもが体調を崩してしまうことを防止できる。
【００７９】
また、子どもが多く集まる施設である、幼稚園、保育園および病院といった場所において、人体検出部２２が複数の子どもが近接している子どもの集団を検出した場合には、全ての子どもに対して個別の空調運転の設定を行うことが難しい場合がある。この場合は、空調制御部２１は、集団のうち体温が低い子どもの体温に合わせて冷房運転の設定条件を調整する、集団に含まれる複数の子どもの体温の平均体温に合わせて冷房運転の設定条件を調整する、といった制御を行うことも可能である。
【００８０】
したがって、本実施の形態１にかかる空気調和機１は、室内の子どもの活動状態に合わせて、すなわち室内の子どもの体温に合わせて、子どもの体調を配慮した子どもに優しい空調運転が可能である、という効果を奏する。
【００８１】
実施の形態２．
上述した実施の形態１では、室内における子どもの存否を判定するための判定基準条件である基準身長情報が１つの固定値である場合について示したが、空気調和機１では基準身長情報として子どもの身長の範囲を用いてもよい。子どもの身長の範囲は、人体検出部２２が子どもと判定する上限値と下限値とが設定された身長の範囲である。
【００８２】
図８は、本発明の実施の形態２における空気調和機１が子ども優先モードでの制御を実施する場合の手順を説明するフローチャートである。図８に示す処理は、子ども優先モードがリモコン４において選択された場合に、予め設定された既定の周期で繰り返し実行される子ども優先モードでの冷房運転の処理の一例である。図８では、図７に示したフローチャートの処理と同様の処理については同じステップ番号を付している。
【００８３】
空気調和機１が通常モードで運転中に、ユーザがリモコン４のリモコン操作部４３において子ども優先モードを選択し、基準身長情報として子どもの身長の範囲を入力する。リモコン操作部４３は、子ども優先モードが選択され、基準身長情報が入力されると、子ども優先モードが選択された旨の子ども優先モード選択情報および基準身長情報をリモコン制御部４１に送信する。リモコン制御部４１は、子ども優先モード選択情報および基準身長情報を受信すると、子ども優先モード選択情報および基準身長情報を、リモコン通信部４４および室内機２の室内機通信部２５を介して空調制御部２１に送信する。
【００８４】
空調制御部２１は、ステップＳ２１０において、子ども優先モード選択情報および基準身長情報を受信すると、子ども優先モード選択情報および基準身長情報を人体検出部２２に、子ども優先モード選択情報を活動検出部２３に送信するし、子ども優先モードでの冷房運転の制御を開始する。
【００８５】
つぎに、ステップＳ２０において人体検出部２２が、実施の形態１の場合と同様にして室内に人が居るか否かを判定する。
【００８６】
室内に人が居ないと判定された場合は、すなわちステップＳ２０においてＮｏの場合は、人体検出部２２は、ステップＳ２０の処理を繰り返す。
【００８７】
室内に人が居ると判定された場合は、すなわちステップＳ２０においてＹｅｓの場合は、人体検出部２２はステップＳ２２０において、室内に子どもが居るか否かを判定する。人体検出部２２は、室内における子どもの存否を判定するための判定基準条件である基準身長情報と、室内で検出した人の身長の情報である検出身長情報とを比較することによって、室内における子どもの存否を判定する。ここでの、基準身長情報は子どもの身長の範囲である。人体検出部２２は、検出身長情報が、基準身長情報で指定された身長の範囲内であるか否かを判定する。
【００８８】
人体検出部２２は、室内で検出された人の検出身長情報が基準身長情報で指定された身長の範囲内である場合に、室内で検出した人を子どもと判定する。一方、人体検出部２２は、室内で検出した人の検出身長情報が基準身長情報で指定された身長の範囲外である場合に、室内で検出した人を子どもではないと判定する。一例として、基準身長情報で指定された身長の範囲が５０ｃｍから１２０ｃｍである場合には、人体検出部２２は、室内で検出した人の検出身長が５０ｃｍから１２０ｃｍの範囲内である人を、子どもであると判定する。基準身長情報として子どもの身長の範囲を用いることで、人体検出部２２が室内に子どもが居るか否かを判定する際の誤判定を減らすことができる。人体検出部２２が室内に子どもが居るか否かを判定する際の誤判定の例としては、動物を子どもと判定してしまうことが挙げられる。
【００８９】
これ以降は、実施の形態１の場合と同様にステップＳ４０からステップＳ１１０が実施される。
【００９０】
本実施の形態２では、空気調和機１において基準身長情報を用いて子どもか否かを判定するため、実施の形態１の場合と同様の効果を有する。
【００９１】
また、本実施の形態２では、空気調和機１において基準身長情報として子どもの身長の範囲を用いるため、人体検出部２２が室内に子どもが居るか否かを判定する際の誤判定を減らすことができる。人体検出部２２における子どもの誤判定を減らすことで、室内の子どもの体温に合わせた空調運転がより精度良く実施可能になる。
【００９２】
特に、子どもが多く集まる施設である、幼稚園、保育園および病院といった場所において、人体検出部２２における子どもの誤判定を減らすことで、より多くの子どもにとって快適な空調運転がより精度良く実施可能になる。
【００９３】
さらに、子どもの成長に合わせて、基準身長情報として設定する子どもの身長の範囲を変更できる。たとえば幼稚園のクラスまたは保育園のクラスが変わる度に、クラスのうち身長が一番低い子どもの身長から、身長が一番高い子どもの身長までを身長の範囲の上限値および下限値に設定する。これにより、人体検出部２２がクラス全員の子どもを誤認識することなく検出することができる。
【００９４】
実施の形態３．
上述した実施の形態１および実施の形態２では、ユーザがリモコン４から子ども優先モードを選択し、基準身長情報を設定することによって、空気調和機１の運転制御が子ども優先モードに切り替わる場合について示した。実施の形態３では、自動で子ども優先モードへ切り替えができる自動子ども優先モードについて説明する。自動子ども優先モードでは、自動子ども優先モードが設定された時点で室内に子どもがいる場合には、空気調和機１は上述した自動子ども優先モードと同じ制御を行う。以下では、自動子ども優先モードが設定された時点で室内に子どもがいない場合について説明する。
【００９５】
図９は、本発明の実施の形態３における空気調和機１の自動子ども優先モードでの制御の手順を説明するフローチャートである。図９では、図７に示したフローチャートの処理と同様の処理については同じステップ番号を付している。
【００９６】
空気調和機１が通常モードで運転中に、ユーザがリモコン４のリモコン操作部４３において自動子ども優先モードを選択し、基準身長情報として子どもの身長の範囲を入力する。リモコン操作部４３は、自動子ども優先モードが選択され、基準身長情報が入力されると、自動子ども優先モードが選択された旨の自動子ども優先モード選択情報および基準身長情報をリモコン制御部４１に送信する。リモコン制御部４１は、自動子ども優先モード選択情報および基準身長情報を受信すると、自動子ども優先モード選択情報および基準身長情報を、リモコン通信部４４および室内機２の室内機通信部２５を介して空調制御部２１に送信する。
【００９７】
空調制御部２１は、ステップＳ３１０において、自動子ども優先モード選択情報および基準身長情報を受信すると、自動子ども優先モード選択情報および基準身長情報を人体検出部２２に、自動子ども優先モード選択情報を活動検出部２３に送信する。ここでは、人体検出部２２は、自動子ども優先モード選択情報を受信した場合には、自動子ども優先モードの解除情報を受診するまで、室内における子どもの検出を行う。また、活動検出部２３は、自動子ども優先モード選択情報を受信した場合には、自動子ども優先モードの解除情報を受診するまで稼働する。
【００９８】
つぎに、人体検出部２２は定期的に部屋の入口における人の検出を実施し、人体検出部２２が、室内に人が入室したか否かをステップＳ３２０において判定する。
【００９９】
室内に人が入室していないと判定された場合は、すなわちステップＳ３２０においてＮｏの場合は、人体検出部２２は、ステップＳ３２０の処理を繰り返す。
【０１００】
室内に人が入室したと判定された場合は、すなわちステップＳ３２０においてＹｅｓの場合は、人体検出部２２はステップＳ３３０において、室内に子どもが入室したか否かを判定する。人体検出部２２は、基準身長情報と、入室したと検出した人の身長の情報である検出身長情報とを比較することによって、室内における子どもの入室を検出する。ここでの、基準身長情報は子どもの身長の範囲である。人体検出部２２は、検出身長情報が、基準身長情報で指定された身長の範囲内であるか否かを判定する。
【０１０１】
人体検出部２２は、室内に入室したと検出された人の検出身長情報が基準身長情報で指定された身長の範囲内である場合に、室内に入室したと検出した人を子どもと判定し、室内に子どもが入室したと判定する、一方、人体検出部２２は、室内に入室したと検出された人の検出身長情報が基準身長情報で指定された身長の範囲外である場合に、室内に入室したと検出した人が子どもではないと判定し、室内に子どもが入室していないと判定する。
【０１０２】
室内に子どもが入室していないと判定された場合、すなわちステップＳ３３０においてＮｏの場合は、人体検出部２２は、ステップＳ３２０に戻る。
【０１０３】
室内に子どもが入室したと判定された場合、すなわちステップＳ３３０においてＹｅｓの場合は、空調制御部２１は、自動で子ども優先モードへ切り替わり、実施の形態１の場合と同様にステップＳ４０からステップＳ６０、およびステップＳ９０からステップＳ１１０が実施される。
【０１０４】
ここで、室内に居る子どもが寝ている状態ではないと判定された場合、すなわちステップＳ６０においてＮｏの場合は、空調制御部２１は、ステップＳ３４０において、自動子ども優先モードの解除情報をリモコン４から受信したか否かを判定する。
【０１０５】
自動子ども優先モードの解除情報を受信した場合、すなわちステップＳ３４０において、Ｙｅｓの場合は、空調制御部２１は、ステップＳ３５０において自動子ども優先モードの解除情報を人体検出部２２と活動検出部２３とに送信し、自動子ども優先モードでの冷房運転の制御を解除する。空調制御部２１は、自動子ども優先モードで冷房運転の制御を解除した場合には、自動子ども優先モードへの移行前の運転モード、自動子ども優先モードの解除時における既定の運転モード、またはリモコン４において新たに選択された運転モードで冷房運転を制御する。
【０１０６】
自動子ども優先モードの解除情報を受信していない場合、すなわちステップＳ３４０において、Ｎｏの場合は、ステップＳ３２０に戻る。
【０１０７】
また、人体検出部２２が新たな子どもの入室を判定した場合には、新たに入室したと判定された子どもに対しても、ステップＳ４０以降の子ども優先モードでの冷房運転の制御が実施される。
【０１０８】
本実施の形態３における自動子ども優先モードでの空調制御は、空気調和機１において基準身長情報を用いて子どもか否かを判定するため、実施の形態１の場合と同様の効果を有する。
【０１０９】
また、自動子ども優先モードでの空調制御は、空気調和機１において基準身長情報として子どもの身長の範囲を用いるため、実施の形態２の場合と同様の効果を有する。
【０１１０】
また、自動子ども優先モードでの空調制御では、子どもが入室したことが人体検出部２２で検出されると、自動で子ども優先モードに切り替わる。このため、本実施の形態３では、室内に子どもが出入りする度、および室内に居る子どもが入れ替わる度に、新たに入室した子どもに対して室内の子どもの活動状態に合わせて、すなわち室内の子どもの体温に合わせて、子どもの体調を配慮した子どもに優しい空調運転が可能である。
【０１１１】
自動子ども優先モードでの空調制御は、特に、幼稚園、保育園および病院の待合室といった子どもの出入りが多い場所において有効である。また、自動子ども優先モードでの空調制御は、ユーザが子ども優先モードの設定を忘れている場合でも自動でスムーズに子ども優先モードに切り替わるため、ユーザの負担なく、子どもに優しい空調運転が可能である。
【０１１２】
なお、上記においては、基準身長情報として子どもの身長の範囲を用いる場合について示したが、実施の形態１のように基準身長情報に１つの固定値を用いてもよい。
【０１１３】
また、上記においては、空調制御部２１が自動子ども優先モード選択情報および基準身長情報を受信している場合に自動子ども優先モードが設定される場合について示したが、自動子ども優先モード選択情報を使用しない形態とされてもよい。この場合は、空調制御部２１が子ども優先モード選択情報を受信しない状態で、空調制御部２１経由で、または直接、人体検出部２２に基準身長情報が記憶された場合に、空調制御部２１が子ども優先モードの待機モードとなり、人体検出部２２で子どもが検出された場合に、空調制御部２１が子ども優先モードに切り替わる。
【０１１４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１５】
１  空気調和機、２  室内機、３  室外機、４  リモートコントローラー、６  内外通信線、２１  空調制御部、２２  人体検出部、２２ａ  赤外線センサ、２３  活動検出部、２４  室内温度検出部、２５  室内機通信部、４１  リモートコントローラー制御部、４２  リモートコントローラー表示部、４３  リモートコントローラー操作部、４４  リモートコントローラー通信部、５１  冷媒配管、５２  冷媒配管、６１  室内熱交換器、６２  室内ファン、６３  室内プロペラ、６４  室内ファンモータ、６５  風向板、６５ａ  第１風向板、６５ｂ  第２風向板、６５ｃ  第３風向板、６６  吸い込み口、６７  吹き出し口、７１  四方弁、７２  圧縮機、７３  室外熱交換器、７４  室外ファン、７５  室外プロペラ、７６  室外ファンモータ、１０１  プロセッサ、１０２  メモリ。
【図１】
2019008642.tif 000003
【図２】
2019008642.tif 000004
【図３】
2019008642.tif 000005
【図４】
2019008642.tif 000006
【図５】
2019008642.tif 000007
【図６】
2019008642.tif 000008
【図７】
2019008642.tif 000009
【図８】
2019008642.tif 000010
【図９】
2019008642.tif 000011
【国際調査報告】
2019008642.tif 000012
2019008642.tif 000013
2019008642.tif 000014
2019008642.tif 000015